(57)【要約】【課題】接点の位置ずれを小さくして接点同士の良好な接触を確保することができる光学機器システムを提供する。【解決手段】第１機器側マウント（２）が取り付けられる第１機器（１）と、第１機器側マウント（２）又は第１機器（１）に保持され、第１機器（１）の中心軸周りに回転可能な第１機器側接点ユニット（３）と、相対的な回転により第１機器側マウント（２）と係合する第２機器側マウント（５０）が取り付けられる第２機器（５１）と、第２機器側マウント（５０）に固着される第２機器側接点ユニット（５３）と、第１機器（１）を第２機器（５１）に装着するために第１機器（１）に対して第２機器（５１）を相対的に回転させたときに、第１機器側接点ユニット（３）を第２機器側接点ユニット（５３）の回転に追従させて回転させるための追従手段（３ａ，５３ａ）とを備えている。【選択図】図１
2010286680.tif 000002
【特許請求の範囲】
【請求項１】
第１機器側マウントが取り付けられる第１機器と、
前記第１機器側マウント又は前記第１機器に保持され、前記第１機器の中心軸周りに回転可能な第１機器側接点ユニットと、
相対的な回転により前記第１機器側マウントと係合する第２機器側マウントが取り付けられる第２機器と、
前記第２機器側マウントに固着される第２機器側接点ユニットと、
前記第１機器を前記第２機器に装着するために前記第１機器に対して前記第２機器を相対的に回転させたときに、前記第１機器側接点ユニットを前記第２機器側接点ユニットの回転に追従させて回転させる追従手段と
を備えていることを特徴とする光学機器システム。
【請求項２】
前記第１機器側マウントは、前記第１機器の中心軸と直交する方向にも移動可能に保持されていることを特徴とする請求項１記載の光学機器システム。
【請求項３】
前記第１機器側接点ユニットを前記第１機器の中心軸周りに付勢する第１機器側接点ユニット付勢手段を備えていることを特徴とする請求項１又は２記載の光学機器システム。
【請求項４】
前記第１機器側接点ユニット付勢手段は、前記第１機器に形成された第１取付部と前記第１機器側接点ユニットに形成された第２取付部との間に取り付けられることを特徴とする請求項３記載の光学機器システム。
【請求項５】
前記第１機器側接点ユニット付勢手段は、前記第１機器側接点ユニットを前記中心軸と直交する方向へ付勢する他の付勢手段を有することを特徴とする請求項３記載の光学機器システム。
【請求項６】
前記追従手段は、前記第１機器側接点ユニットに設けられた第１の突起と、前記第２機器側接点ユニットに設けられた第２の突起とを有し、前記第１機器を前記第２機器に装着するために前記第１機器に対して前記第２機器を回転させたときに、前記第１の突起と前記第２の突起とが当接することを特徴とする請求項１〜４のいずれか１項記載の光学機器システム。
【請求項７】
前記第１機器側接点ユニット及び前記第２機器側接点ユニットを介して前記第１機器と前記第２機器との間の通信又は電力供給が行われることを特徴とする請求項１〜６のいずれか１項記載の光学機器システム。
【請求項８】
前記第１機器はカメラボディであり、前記第２機器は前記カメラボディに取り付け可能なレンズ鏡筒であることを特徴とする請求項１〜７のいずれか１項記載の光学機器システム。
【発明の詳細な説明】
【技術分野】
【０００１】
この発明は光学機器システムに関する。
【背景技術】
【０００２】
従来、交換レンズの回転に伴いカメラボディ側の可動接点を半径方向外方に移動させるカム面を、交換レンズ（レンズ鏡筒）のマウントの円周方向に沿って形成してなる交換レンズのマウント構造が知られている（下記特許文献参照）。このマウント構造によって半径方向のガタを抑制することができる。
【先行技術文献】
【特許文献】
【０００３】
【特許文献１】特開昭５８−７５１３９号公報
【発明の概要】
【発明が解決しようとする課題】
【０００４】
しかし、一般的にマウント構造には、交換レンズをカメラボディに装着したとき、レンズ着脱ピンの傾きに起因するガタ、レンズ着脱ピンと着脱溝との隙間に起因するガタ、カメラボディのマウントと交換レンズのマウントとの半径方向の隙間に起因するガタが発生する。そのため、交換レンズがレンズ着脱ピンを中心として回転し、交換レンズ側の接点とカメラボディ側の接点とが周方向へずれたり、交換レンズ側の接点がカメラボディ側の接点から半径方向へ離れたりする。近年、カメラの高機能化に伴い接点間の間隔が狭くなっているため、隣接する接点同士が接触（ショート）し、電子機器（チップ）の破損や電子機器に記憶されたソフト（プログラムやデータ）が破壊されるおそれがある。また、交換レンズに電力を供給するための接点同士が離れるため、狙った被写体を撮り損なうおそれがある。
【０００５】
この発明の課題は接点の位置ずれを小さくして接点同士の良好な接触を確保することができる光学機器システムを提供することである。
【課題を解決するための手段】
【０００６】
上記課題を解決するため請求項１記載の発明は、第１機器側マウントが取り付けられる第１機器と、前記第１機器側マウント又は前記第１機器に保持され、前記第１機器の中心軸周りに回転可能な第１機器側接点ユニットと、相対的な回転により前記第１機器側マウントと係合する第２機器側マウントが取り付けられる第２機器と、前記第２機器側マウントに固着される第２機器側接点ユニットと、前記第１機器を前記第２機器に装着するために前記第１機器に対して前記第２機器を相対的に回転させたときに、前記第１機器側接点ユニットを前記第２機器側接点ユニットの回転に追従させて回転させる追従手段とを備えていることを特徴とする。
【０００７】
請求項２に記載の発明は、請求項１記載の光学機器システムにおいて、前記第１機器側マウントは、前記第１機器の中心軸と直交する方向にも移動可能に保持されていることを特徴とする。
【０００８】
請求項３に記載の発明は、請求項１又は２記載の光学機器システムにおいて、前記第１機器側接点ユニットを前記第１機器の中心軸周りに付勢する第１機器側接点ユニット付勢手段を備えていることを特徴とする。
【０００９】
請求項４に記載の発明は、請求項３記載の光学機器システムにおいて、前記第１機器側接点ユニット付勢手段は、前記第１機器に形成された第１取付部と前記第１機器側接点ユニットに形成された第２取付部との間に取り付けられることを特徴とする。
【００１０】
請求項５に記載の発明は、請求項３記載の光学機器システムにおいて、前記第１機器側接点ユニット付勢手段は、前記第１機器側接点ユニットを前記中心軸と直交する方向へ付勢する他の付勢手段を有することを特徴とする。
【００１１】
請求項６に記載の発明は、請求項１〜４のいずれか１項記載の光学機器システムにおいて、前記追従手段は、前記第１機器側接点ユニットに設けられた第１の突起と、前記第２機器側接点ユニットに設けられた第２の突起とを有し、前記第１機器を前記第２機器に装着するために前記第１機器に対して前記第２機器を回転させたときに、前記第１の突起と前記第２の突起とが当接することを特徴とする。
【００１２】
請求項７に記載の発明は、請求項１〜６のいずれか１項記載の光学機器システムにおいて、前記第１機器側接点ユニット及び前記第２機器側接点ユニットを介して前記第１機器と前記第２機器との間の通信又は電力供給が行われることを特徴とする。
【００１３】
請求項８に記載の発明は、請求項１〜７のいずれか１項記載の光学機器システムにおいて、前記第１機器はカメラボディであり、前記第２機器は前記カメラボディに取り付け可能なレンズ鏡筒であることを特徴とする。
【発明の効果】
【００１４】
この発明によれば、接点の位置ずれを小さくして接点同士の良好な接触を確保することができる。
【図面の簡単な説明】
【００１５】
【図１】図１はこの発明の一実施形態に係る光学機器システムの一部の断面を示し、接点と接点ピンとの接触状態を説明するための概念図である。
【図２】図２は光学機器システムの一部の断面を示し、ボディ側接点ユニットの支持構造を説明するための概念図である。
【図３】図３はレンズ鏡筒を後方から見た端面図である。
【図４】図４はボディマウントを外した状態でカメラボディを前方から見た透視図である。
【図５】図５はレンズ鏡筒をカメラボディに装着したときの接点と接点ピンとの接触状態を説明するための透視図である。
【図６】図６は従来の光学機器システムの構成を説明するための参考図である。
【発明を実施するための形態】
【００１６】
以下、この発明の実施の形態を図面に基づいて説明する。
【００１７】
図１はこの発明の一実施形態に係る光学機器システムの一部の断面を示し、接点と接点ピンとの接触状態を説明するための概念図、図２は光学機器システムの一部の断面を示し、ボディ側接点ユニットの支持構造を説明するための概念図、図３はレンズ鏡筒を後方から見た端面図、図４はボディマウントを外した状態でカメラボディを前方から見た透視図、図５はレンズ鏡筒をカメラボディに装着したときの接点と接点ピンとの接触状態を説明するための透視図、図６は従来の光学機器システムの構成を説明するための参考図である。なお、図５と図６とでは参照符号の上位の数字を変えているが、両方の図に共通の部材は同一の構造であり、それらの部材についての説明を省略する。
【００１８】
光学機器システム１００は、ボディマウント（第１機器側マウント）２が取り付けられるカメラボディ（第１機器）１と、ボディマウント２又はカメラボディ１にカメラボディ１の中心軸周りに回転可能に保持されるボディ側接点ユニット（第１機器側接点ユニット）３と、相対的な回転によりボディマウント２と係合するレンズマウント（第２機器側マウント）５０が取り付けられるレンズ鏡筒固定筒（第２機器）５１（以下レンズ鏡筒５１という）と、レンズマウント５０に固着されるレンズ側接点ユニット（第２機器側接点ユニット）５３と、カメラボディ１をレンズ鏡筒５１に装着するためにカメラボディ１に対してレンズ鏡筒５１を相対的に回転させたとき、ボディ側接点ユニット３をレンズ側接点ユニット５３の回転に追従させるための第１、第２の突起３ａ，５３ａとを備えている。
【００１９】
第１の突起３ａはボディ側接点ユニット３の内周部３ｃにカメラボディ１の径方向内方（中心軸に近付く方向）へ突出するように設けられている。
【００２０】
ボディマウント２はカメラボディ１に複数のビス（図示せず）で取り付けられている。
【００２１】
また、ボディマウント２には、レンズ鏡筒５１のカメラボディ１への回転方向の装着位置を決定するためのレンズ着脱ピン７が挿入される穴２ａが形成されている。穴２ａに挿入されたレンズ着脱ピン７はレンズ鏡筒５１の中心軸に平行な方向へ進退可能であり、レンズ鏡筒５１がカメラボディ１に正しく装着されたとき、例えばばね（図示せず）の付勢力によってボディマウント２の穴２ａからレンズ着脱ピン７の先端部が突出する（図１参照）。
【００２２】
ボディ側接点ユニット３は複数の接点４を樹脂で包んで一体化されたインサートモールド成形品である。接点４の一端部はボディ側接点ユニット３の内周部に配置され、外部へ露出している。接点４の他端部はカメラボディ１に内蔵されたＦＰＣ（図示せず）や電気基板（図示せず）に接続されている。
【００２３】
また、ボディ側接点ユニット３の外周部３ｄには、径方向外方へ突出する第４の突起３ｂ（第２取付部）が形成されている。第４の突起３ｂに引っ張りばね（第１機器側接点ユニット付勢手段（付勢手段））５の一端が引っ掛けられている。引っ張りばね５の他端はカメラボディ１に形成された第３の突起１ｃ（第１取付部）に引っ掛けられている。引っ張りばね５は、ボディ側接点ユニット３をカメラボディ１の中心軸を中心に反時計方向（図５において）へ付勢している。なお、カメラボディ１には第４の突起３ｂとの干渉を避けるために逃げ溝１ａが形成されている。
【００２４】
ボディ側接点ユニット３は、カメラボディ１の中心軸周りに回転可能である。ボディ側接点ユニット３の内周部３ｃはカメラボディ１に形成された突出部１ｂと係合している。突出部１ｂによってボディ側接点ユニット３のカメラボディ１の径方向内方への移動が規制される。
【００２５】
ボディ側接点ユニット３はカメラボディ１に設けられた一対のプランジャ（他の付勢手段）６によってカメラボディ１の径方向内方へ付勢されている。一対のプランジャ６はカメラボディ１の径方向内方へ付勢している（図４参照）。
【００２６】
レンズマウント５０はレンズ鏡筒５１に複数のビス５２で取り付けられている。
【００２７】
レンズマウント５０にはレンズ側接点ユニット５３がビス５５（図１参照）で固着されている。レンズ側接点ユニット５３には接点４に接触してカメラボディ１とレンズ鏡筒５１との間の通信・電力供給を行うための接点ピン５４が設けられている（図３参照）。接点ピン５４は弾性を有するＵ字形状のグランド接触片５４ａとグランド接触片５４ａの一端部に連なるＣ字形状の接点接触片５４ｂとからなる（図１参照）。接点接触片５４ｂはグランド接触片５４ａの弾性力によって接点４に接触している。グランド接触片５４ａの他端部はレンズ側接点ユニット５３の上面に設けられたＦＰＣ５６に当接している。ＦＰＣ５６は像振れ補正レンズを駆動する図示しないボイスコイルモータや位置を検出する光学式位置検出装置等に接続されている。
【００２８】
また、レンズマウント５０にはレンズ着脱ピン７が挿入される溝５０ａが設けられている（図１参照）。
【００２９】
レンズ側接点ユニット５３の一端部には中心軸に平行な方向へ突出する第２の突起５３ａが形成されている（図１参照）。第２の突起５３ａは、レンズ鏡筒５１をカメラボディ１に装着するためにレンズ鏡筒５１を回転させたとき、第１の突起３ａと当接する（図１参照）。第１の突起３ａと第２の突起５３ａとで追従手段が構成される。
【００３０】
レンズ側接点ユニット５３の下面側（レンズ鏡筒５１の中心軸側）には遮光部材５７が設けられている（図１参照）。
【００３１】
次に、カメラボディ１がレンズ鏡筒５１に装着されたときの両者の接続状態を説明する。
【００３２】
カメラボディ１がレンズ鏡筒５１に正しく装着されたとき、レンズ着脱ピン７は溝５０ａに挿入される。このとき、ボディマウント２の内周部２ｂはレンズマウント５０の外周部５０ｂに当接する。レンズ着脱ピン７と穴２ａとの間及びボディマウント２とレンズマウント５０との間にはそれぞれ隙間があるので、レンズ鏡筒５１（レンズ側接点ユニット５３）は、レンズ着脱ピン７と穴２ａとの隙間に起因して、光軸Ｌを中心に反時計方向に回転する。さらに、ボディマウント２とレンズマウント５０との間の隙間に起因して、レンズ着脱ピン７を中心として時計方向に回転し、レンズ鏡筒５１の中心軸Ｐとカメラボディ１の中心軸Ｏとの間に位置ズレが生じる。
【００３３】
従来技術においては、レンズ着脱ピン１０７と穴１０２ａとの隙間に起因してレンズ着脱ピン１０７が位置Ｓ１からＳ２へと動き、ボディマウント１０２とレンズマウント１５０との間の隙間に起因してレンズ側接点ユニット１５３がレンズ着脱ピン１０７を中心として回転し、接点ピン１５４と接点１０４との位置ずれが大きくなるとともに、接点ピン１５４と接点１０４とが離れる（図６参照）。
【００３４】
これに対し、この実施形態においては、第１の突起３ａと第２の突起５３ａとが当接し、しかもボディ側接点ユニット３が引っ張りばね５によって反時計方向へ付勢される。そのため、レンズ着脱ピン７と穴２ａとの隙間に起因してレンズ側接点ユニット１５３が光軸Ｌを中心として回転したとしても、ボディ側接点ユニット３がレンズ側接点ユニット５３の回転に追従して回転し、レンズ着脱ピン７と穴２ａとの隙間に起因する接点ピン５４と接点４との位置ずれが小さくなる。その結果、接点ピン５４と接点４との位置ずれに起因する接触不良をなくし、電子機器やソフトの破壊を防ぐことができる。
【００３５】
また、プランジャ６によってボディ側接点ユニット３がカメラボディ１の径方向内方へ付勢されているので、接点ピン５４と接点４とが離れることを阻止することができ、カメラボディ１とレンズ鏡筒５１との間で接点ピン５４及び接点４を介して正常な通信や電力の供給をおこなうことができる。例えば接点ピン５４と接点４とが離れることによって生じるレンズ鏡筒への電力供給が遮断されることを防止でき、撮影中に狙った被写体を撮り損なうおそれがなくなる。
【００３６】
この実施形態によれば、レンズ側接点ユニット５３の回転に追従させてボディ側接点ユニット３を回転させるようにしたので、接点の位置ずれを小さくして接点同士の良好な接続を確保することができる。
【００３７】
なお、上記実施形態ではレンズ側接点ユニット５３の回転に追従させてボディ側接点ユニット３を回転させたが、ボディ側接点ユニット３の回転に追従させてレンズ側接点ユニット５３を回転させるようにしてもよい。また、上記実施形態では接点ピン５４と接点４とを中心軸と直交する方向で接触させたが、接点ピン５４と接点４とを中心軸と平行な方向で接触させてもよい。
【符号の説明】
【００３８】
１：カメラボディ（第１機器）、１ｃ：第３の突起（第１取付部）、２：ボディマウント（第１機器側マウント）、３：ボディ側接点ユニット（第１機器側接点ユニット）、３ａ：第１の突起、３ｂ：第４の突起（第２取付部）、５：引っ張りばね（第１機器側接点ユニット付勢手段）、６：プランジャ（他の付勢手段）、５０：レンズマウント（第２機器側マウント）、５１：レンズ鏡筒固定筒（第２機器）、５３：レンズ側電気接点ユニット（第２機器側接点ユニット）、５３ａ：第２の突起、１００：光学機器システム。
【図１】
2010286680.tif 000003
【図２】
2010286680.tif 000004
【図３】
2010286680.tif 000005
【図４】
2010286680.tif 000006
【図５】
2010286680.tif 000007
【図６】
2010286680.tif 000008